(57)【要約】      （修正有）【課題】簡素な構成で、開封済であるか否かを判別できる収容部材を提供する。【解決手段】収容部材１Ａは、本体部１０と蓋部２０とを備える。本体部は、開口部を有する。蓋部は開口部を開閉する。本体部には、本体部を貫通し、本体部の内部１２と外部とを連通する本体貫通孔１３が設けられる。蓋部には、蓋部を貫通する蓋貫通孔２１が設けられる。蓋部により本体部が閉じられた状態で、蓋部の蓋貫通孔が、本体部の本体貫通孔と対向する。また開封記録シート３０を備え、開封記録シートは、本体部の内部に収容された状態で、本体貫通孔と対向するシート対向部分３１を含む。さらに、蓋部により本体部が閉じられた状態で、本体部と、蓋部と、開封記録シートのシート対向部分とに亘って接着される接着部材４０を備える。接着部材の剥離によりシート対向部分が破損し、開封済みか否かを容易に確認できる。【選択図】図１
0003224834.tif 000002
【実用新案登録請求の範囲】
【請求項１】
開口部を有する本体部と、
前記開口部を開閉する蓋部と
を備え、
前記本体部には、前記本体部を貫通し、前記本体部の内部と外部とを連通する本体貫通孔が設けられ、
前記蓋部には、前記蓋部を貫通する蓋貫通孔が設けられ、
前記蓋部により前記本体部の前記開口部が閉じられた状態で、前記蓋部の前記蓋貫通孔が、前記本体部の前記本体貫通孔と対向する、収容部材。
【請求項２】
前記本体部は、前記蓋部により前記本体部の前記開口部が閉じられた状態で、前記蓋部と重なる本体重合部分を含み、
前記蓋部は、前記蓋部により前記本体部の前記開口部が閉じられた状態で、前記本体部と重なる蓋重合部分を含み、
前記本体貫通孔は、前記本体重合部分に配置され、
前記蓋貫通孔は、前記蓋重合部分に配置される、請求項１に記載の収容部材。
【請求項３】
前記蓋部は、前記本体部と一体の部材であり、前記本体部に対して折り曲げ可能である、請求項１又は請求項２に記載の収容部材。
【請求項４】
前記蓋部は、前記本体部と別体の部材であり、前記本体部に対して着脱可能である、請求項１又は請求項２に記載の収容部材。
【請求項５】
前記本体部と前記蓋部とは、樹脂製である、請求項１から請求項４のいずれか１項に記載の収容部材。
【請求項６】
前記本体部の内部に収容される開封記録シートをさらに備え、
前記開封記録シートは、前記本体部の内部に収容された状態で、前記本体部の前記本体貫通孔と対向するシート対向部分を含む、請求項１から請求項５のいずれか１項に記載の収容部材。
【請求項７】
前記シート対向部分には、スリットが形成される、請求項６に記載の収容部材。
【請求項８】
前記シート対向部分には、所定の記号が表示される、請求項６に記載の収容部材。
【請求項９】
前記開封記録シートには、所定の事項が記載される記載欄が設けられ、
前記開封記録シートが前記本体部の内部に収容された状態で、前記本体部のうち前記開封記録シートの前記記載欄と対向する部分が透過性を有する、請求項６から請求項８のいずれか１項に記載の収容部材。
【請求項１０】
前記本体部の内部に前記開封記録シートが収容されると共に、前記蓋部により前記本体部の前記開口部が閉じられた状態で、前記本体部と、前記蓋部と、前記開封記録シートの前記シート対向部分とに亘って接着される接着部材をさらに備える、請求項６から請求項９のいずれか１項に記載の収容部材。
【請求項１１】
前記本体部及び前記蓋部の各々の強度は、前記開封記録シートの強度よりも高い、請求項６から請求項１０のいずれか１項に記載の収容部材。
【請求項１２】
前記本体部には、複数の前記本体貫通孔が設けられ、
前記蓋部には、複数の前記蓋貫通孔が設けられ、
前記複数の蓋貫通孔は、それぞれ、前記複数の本体貫通孔と対応し、
前記蓋部により前記本体部の前記開口部が閉じられた状態で、前記複数の蓋貫通孔の各々は、対応する前記蓋貫通孔と対向する、請求項１から請求項１１のいずれか１項に記載の収容部材。
【請求項１３】
前記本体部の内部に収容される開封記録シートと、接着部材とをさらに備え、
前記開封記録シートは、複数のシート対向部分を含み、
前記複数のシート対向部分は、それぞれ、前記複数の本体貫通孔と対応し、
前記開封記録シートが前記本体部の内部に収容された状態で、前記複数の本体貫通孔の各々は、対応する前記本体貫通孔と対向し、
前記本体部の内部に前記開封記録シートが収容されると共に、前記蓋部により前記本体部の前記開口部が閉じられた状態で、前記接着部材が、前記本体部と、前記蓋部と、前記複数のシート対向部分とに亘って接着される、請求項１２に記載の収容部材。
【請求項１４】
開口部を有する本体部と、
前記開口部を開閉する蓋部と
を備え、
前記蓋部は、第１蓋部と、第２蓋部とを含み、
前記第１蓋部には、前記第１蓋部を貫通する第１蓋貫通孔が設けられ、
前記第２蓋部には、前記第２蓋部を貫通する第２蓋貫通孔が設けられ、
前記蓋部により前記本体部の前記開口部が閉じられた状態で、前記第１蓋部の一部が前記第２蓋部の一部に重なると共に、前記第１蓋貫通孔が前記第２蓋貫通孔と対向する、収容部材。
【考案の詳細な説明】
【技術分野】
【０００１】
本考案は、収容部材に関する。
【背景技術】
【０００２】
特許文献１に記載の封筒は、封筒本体と、フラップシールとを備える。封筒本体は、宛先情報と、差出人情報を読取るための窓を備える。フラップシールは、複数のシートの積層により構成される。フラップシールには、複数の切取り線が設けられる。開封の際には封筒裏面に密着された中層シートの帯状とほぼ同形のフラップシール上層シートの一片が部分的且つ段階的に切り剥がされ開封される。開封された跡には封筒に密着された中層シートが帯状の跡となって非粘着面が表側に残る。その結果、ユーザーは、封筒が開封済であるか否かを判別できる。
【先行技術文献】
【特許文献】
【０００３】
【特許文献１】特開２０１３−１７３５６２号公報
【考案の概要】
【考案が解決しようとする課題】
【０００４】
しかし、複数のシートを積層してフラップシールを構成しなければならないので、封筒の構成が複雑であった。また、フラップシールに対して複数の切取り線を設けるように、フラップシールを加工しなければならないので、封筒の構成が複雑であった。
【０００５】
本考案は、簡素な構成で、収容部材が開封済であるか否かをユーザーに判別させることができる収容部材を提供することを目的としている。
【課題を解決するための手段】
【０００６】
本考案の第１の局面によれば、収容部材は、本体部と、蓋部とを備える。前記本体部は、開口部を有する。前記蓋部は、前記開口部を開閉する。前記本体部には、前記本体部を貫通し、前記本体部の内部と外部とを連通する本体貫通孔が設けられる。前記蓋部には、前記蓋部を貫通する蓋貫通孔が設けられる。前記蓋部により前記本体部の前記開口部が閉じられた状態で、前記蓋部の前記蓋貫通孔が、前記本体部の前記本体貫通孔と対向する。
【０００７】
本考案の第２の局面によれば、前記本体部は、前記蓋部により前記本体部の前記開口部が閉じられた状態で、前記蓋部と重なる本体重合部分を含むことが好ましい。前記蓋部は、前記蓋部により前記本体部の前記開口部が閉じられた状態で、前記本体部と重なる蓋重合部分を含むことが好ましい。前記本体貫通孔は、前記本体重合部分に配置されることが好ましい。前記蓋貫通孔は、前記蓋重合部分に配置されることが好ましい。
【０００８】
本考案の第３の局面によれば、前記蓋部は、前記本体部と一体の部材であり、前記本体部に対して折り曲げ可能であることが好ましい。
【０００９】
本考案の第４の局面によれば、前記蓋部は、前記本体部と別体の部材であり、前記本体部に対して着脱可能であることが好ましい。
【００１０】
本考案の第５の局面によれば、前記本体部と前記蓋部とは、樹脂製であることが好ましい。
【００１１】
本考案の第６の局面によれば、前記収容部材は、前記本体部の内部に収容される開封記録シートをさらに備えることが好ましい。前記開封記録シートは、前記開封記録シートに収容された状態で、前記本体部の前記本体貫通孔と対向するシート対向部分を含むことが好ましい。
【００１２】
本考案の第７の局面によれば、前記シート対向部分には、スリットが形成されることが好ましい。
【００１３】
本考案の第８の局面によれば、前記シート対向部分には、所定の記号が表示されることが好ましい。
【００１４】
本考案の第９の局面によれば、前記開封記録シートには、所定の事項が記載される記載欄が設けられることが好ましい。前記開封記録シートが前記本体部の内部に収容された状態で、前記本体部のうち前記開封記録シートの前記記載欄と対向する部分が透過性を有することが好ましい。
【００１５】
本考案の第１０の局面によれば、前記収容部材は、前記本体部の内部に前記開封記録シートが収容されると共に、前記蓋部により前記本体部の前記開口部が閉じられた状態で、前記本体部と、前記蓋部と、前記開封記録シートの前記シート対向部分とに亘って接着される接着部材をさらに備えることが好ましい。
【００１６】
本考案の第１１の局面によれば、前記本体部及び前記蓋部の各々の強度は、前記開封記録シートの強度よりも高いことが好ましい。
【００１７】
本考案の第１２の局面によれば、  前記本体部には、複数の前記本体貫通孔が設けられることが好ましい。前記蓋部には、複数の前記蓋貫通孔が設けられることが好ましい。前記複数の蓋貫通孔は、それぞれ、前記複数の本体貫通孔と対応していることが好ましい。前記蓋部により前記本体部の前記開口部が閉じられた状態で、前記複数の蓋貫通孔の各々は、対応する前記蓋貫通孔と対向することが好ましい。
【００１８】
本考案の第１３の局面によれば、収容部材は、前記本体部の内部に収容される開封記録シートと、接着部材とをさらに備えることが好ましい。前記開封記録シートは、複数のシート対向部分を含むことが好ましい。前記複数のシート対向部分は、それぞれ、前記複数の本体貫通孔と対応していることが好ましい。前記開封記録シートが前記本体部の内部に収容された状態で、前記複数の本体貫通孔の各々は、対応する前記本体貫通孔と対向していることが好ましい。前記本体部の内部に前記開封記録シートが収容されると共に、前記蓋部により前記本体部の前記開口部が閉じられた状態で、前記接着部材が、前記本体部と、前記蓋部と、前記複数のシート対向部分とに亘って接着されることが好ましい。
【００１９】
本考案の第１４の局面によれば、収容部材は、本体部と、蓋部とを備える。前記本体部は、開口部を有する。前記蓋部は、前記開口部を開閉する。前記蓋部は、第１蓋部と、第２蓋部とを含む。前記第１蓋部には、前記第１蓋部を貫通する第１蓋貫通孔が設けられる。前記第２蓋部には、前記第２蓋部を貫通する第２蓋貫通孔が設けられる。前記蓋部により前記本体部の前記開口部が閉じられた状態で、第１蓋部の一部が前記第２蓋部の一部に重なると共に、前記第１蓋貫通孔が前記第２蓋貫通孔と対向する。
【考案の効果】
【００２０】
本考案によれば、簡素な構成で、収容部材が開封済であるか否かをユーザーに判別させることができる。
【図面の簡単な説明】
【００２１】
【図１】本考案の第１実施形態に係る収容部材の構成を示す斜視図である。
【図２】本体部と蓋部とを示す斜視図である。
【図３】（ａ）収容部材を封止する手順を示す図である。（ｂ）収容部材を封止する手順を示す図である。
【図４】（ａ）収容部材を封止する手順を示す図である。（ｂ）収容部材を封止する手順を示す図である。
【図５】（ａ）収容部材を開封する手順を示す図である。（ｂ）収容部材を開封する手順を示す図である。
【図６】収容部材の使用例の変形例を示す図である。
【図７】（ａ）第１実施形態の収容部材に変形例を示す斜視図である。（ｂ）第１実施形態の収容部材に変形例を示す斜視図である。
【図８】（ａ）本考案の第２実施形態に係る収容部材の構成を示す斜視図である。（ｂ）本考案の第２実施形態に係る収容部材の構成を示す斜視図である。
【図９】（ａ）第２実施形態の収容部材の変形例を示す斜視図である。（ｂ）第２実施形態の収容部材の変形例を示す斜視図である。
【図１０】（ａ）本考案の第３実施形態に係る収容部材の構成を示す斜視図である。（ｂ）本考案の第３実施形態に係る収容部材の構成を示す斜視図である。
【図１１】（ａ）第３実施形態の収容部材の変形例を示す斜視図である。（ｂ）第３実施形態の収容部材の変形例を示す斜視図である。
【図１２】（ａ）第４実施形態の収容部材を表側から見た斜視図である。（ｂ）収容部材を裏側から見た斜視図である。（ｃ）封止された収容部材を表側から見た斜視図である。（ｄ）封止された収容部材を裏側から見た斜視図である。（ｅ）収容部材の変形例を裏側から見た斜視図である。
【図１３】（ａ）本考案の第５実施形態に係る収容部材の構成を示す斜視図である。（ｂ）本考案の第５実施形態に係る収容部材の構成を示す斜視図である。
【図１４】（ａ）第５実施形態の収容部材の変形例を示す斜視図である。（ｂ）第５実施形態の収容部材の変形例を示す斜視図である。
【図１５】（ａ）本考案の第６実施形態に係る収容部材の構成を示す斜視図である。（ｂ）本考案の第６実施形態に係る収容部材の構成を示す斜視図である。
【考案を実施するための形態】
【００２２】
本考案の実施形態について、図面を参照しながら説明する。なお、図中、同一又は相当部分については同一の参照符号を付して説明を繰り返さない。
【００２３】
［第１実施形態］
図１〜図６を参照して、本考案の第１実施形態に係る収容部材１Ａについて説明する。図１は、本考案の第１実施形態に係る収容部材１Ａの構成を示す斜視図である。収容部材１Ａは、例えば、封筒として機能する。
【００２４】
図１に示すように、収容部材１Ａは、本体部１０と、蓋部２０とを備える。
【００２５】
図２は、本体部１０と蓋部２０とを示す斜視図である。本体部１０と蓋部２０とは、例えば、ＰＰ（ポリプロピレン）、ＰＥＴ（ポリエチレンテレフタレート）等の樹脂により形成される。
【００２６】
図１及び図２に示すように、本体部１０は、略袋状に形成され、内部１２に信書のようなシートを収容可能である。本体部１０は、開口部１１と、本体貫通孔１３と、本体重合部分１４とを有する。
【００２７】
開口部１１は、本体部１０の内部１２と外部とを連通する。信書は、開口部１１を通じて本体部１０の内部１２に収容される。第１実施形態では、本体部１０は略矩形状に形成され、開口部１１は本体部１０の一辺（図２における、本体部１０の上部の辺）に沿って設けられる。
【００２８】
本体貫通孔１３は、本体部１０を貫通する孔であり、本体部１０の内部１２と外部とを連通する。
【００２９】
本体重合部分１４は、蓋部２０により本体部１０の開口部１１が閉じられた状態において、本体部１０のうちで、蓋部２０と重なる部分である。本体重合部分１４には、本体貫通孔１３が配置される。
【００３０】
蓋部２０は、本体部１０の開口部１１を開閉する。蓋部２０は、本体部１０の開口部１１が位置する場所において、本体部１０と連なっている。蓋部２０は、略シート状の部材である。蓋部２０は、蓋貫通孔２１と、蓋重合部分２２とを有する。
【００３１】
蓋貫通孔２１は、蓋部２０を貫通する。蓋重合部分２２は、蓋部２０により本体部１０の開口部１１が閉じられた状態において、蓋部２０のうちで、本体部１０と重なる部分である。蓋重合部分２２には、蓋貫通孔２１が配置される。
【００３２】
収容部材１Ａにおいては、本体部１０と蓋部２０とは、一体の部材である。蓋部２０は、本体部１０と連なる箇所５０（開口部１１の形成箇所）において、本体部１０に対して折り曲げ可能である。本体部１０に対する蓋部２０の折り曲げ角度が変更されることで（図２の矢印Ｚ参照）、開口部１１が開閉される。
【００３３】
本体部１０に対して蓋部２０が重なるように、蓋部２０が折り曲げられることで、蓋部２０により本体部１０の開口部１１が閉じられる（図１参照）。蓋部２０により本体部１０の開口部１１が閉じられた状態において、本体重合部分１４と蓋重合部分２２とが互いに重なる。
【００３４】
また、蓋部２０により本体部１０の開口部１１が閉じられた状態において、蓋貫通孔２１が本体貫通孔１３と対向する。その結果、蓋部２０により本体部１０の開口部１１が閉じられた状態において、本体部１０の内部１２が、蓋貫通孔２１及び本体貫通孔１３を通じて、本体部１０の外部と連通した状態になる。
【００３５】
蓋部２０により本体部１０の開口部１１が閉じられた状態（図１参照）から、本体部１０から蓋部２０が離間するように、本体部１０に対する蓋部２０の折り曲げ角度が変更されることで、本体部１０の開口部１１が開かれた状態（図２参照）になる。
【００３６】
図１に示すように、収容部材１Ａは、開封記録シート３０と、接着部材４０とをさらに備える。
【００３７】
開封記録シート３０は、シート状の部材である。開封記録シート３０は、本体部１０の内部１２に収容可能な寸法を有する。開封記録シート３０は、例えば、紙により形成される。
【００３８】
本体部１０及び蓋部２０の各々の強度は、開封記録シート３０の強度よりも高い。
【００３９】
接着部材４０は、本体部１０に対して蓋部２０を接着することで、蓋部２０により開口部１１が閉じられた状態（封止された状態）を保持する。接着部材４０は、略帯状の部材であり、接着剤が塗布される接着面４１（図５参照）を有する。
【００４０】
次に、図３（ａ）〜図４（ｂ）を参照して、収容部材１Ａを封止する手順について説明する。図３（ａ）〜図４（ｂ）は、収容部材１Ａを封止する手順を示す図である。
【００４１】
図３（ａ）に示すように、本体部１０の開口部１１が開かれた状態において、開封記録シート３０と、信書等の被収容物（不図示）とが、開口部１１を通じて本体部１０の内部１２に収容される。このとき、本体部１０の内部１２において、開封記録シート３０の方が、被収容物よりも、本体部１０の本体貫通孔１３側（図３（ａ）における、手前側）に配置される。
【００４２】
図３（ｂ）に示すように、開封記録シート３０と被収容物とが本体部１０の内部１２に収容されると、開封記録シート３０の一部が、本体部１０の本体貫通孔１３と対向する。
【００４３】
以下では、開封記録シート３０が本体部１０の内部１２に収容された状態で、開封記録シート３０のうち、本体部１０の本体貫通孔１３と対向する部分を、シート対向部分３１と記載することがある。
【００４４】
開封記録シート３０が本体部１０の内部１２に収容された状態で、シート対向部分３１は、本体部１０の本体貫通孔１３と対向することで、本体貫通孔１３から本体部１０の外部に露出する。
【００４５】
そして、本体部１０に対して蓋部２０が折り曲げられることで、本体部１０の開口部１１が閉じられる。
【００４６】
図４（ａ）に示すように、開封記録シート３０が本体部１０の内部１２に収容され、かつ、蓋部２０により本体部１０の開口部１１が閉じられた状態で、本体部１０の本体貫通孔１３が、蓋貫通孔２１と対向する。その結果、開封記録シート３０のシート対向部分３１が、本体貫通孔１３と蓋貫通孔２１とを介して、本体部１０の外部に露出する。
【００４７】
図４（ｂ）に示すように、開封記録シート３０が本体部１０の内部１２に収容され、かつ、蓋部２０により本体部１０の開口部１１が閉じられた状態で、接着部材４０が、本体部１０と、蓋部２０と、開封記録シート３０のシート対向部分３１とに亘って接着される。このとき、接着部材４０の接着面４１には、本体部１０と、蓋部２０と、シート対向部分３１とが接着されている。これにより、本体部１０に対する蓋部２０の折り曲げ角度を変更不能な状態となり、蓋部２０により本体部１０の開口部１１が閉じられる状態が保持される。その結果、収容部材１Ａが封止される。
【００４８】
次に、図５（ａ）及び図５（ｂ）を参照して、収容部材１Ａを開封する手順について説明する。図５（ａ）及び図５（ｂ）は、収容部材１Ａを開封する手順を示す図である。
【００４９】
図５（ａ）に示すように、収容部材１Ａが封止された状態から、接着部材４０が、本体部１０と、蓋部２０と、開封記録シート３０のシート対向部分３１とから剥がされる。これにより、本体部１０に対する蓋部２０の折り曲げ角度を変更可能な状態となる。その結果、収容部材１Ａが開封される。
【００５０】
収容部材１Ａが開封されることで、本体部１０の開口部１１を開けて、本体部１０の内部１２から被収容物を取り出すことができる。
【００５１】
図５（ｂ）に示すように、接着部材４０が開封記録シート３０のシート対向部分３１から剥がされる際、接着部材４０の接着力により、シート対向部分３１が破れる等して、シート対向部分３１に破損個所Ｘが生成される。その結果、ユーザーは、シート対向部分３１に破損個所Ｘが有るか否かを確認することで、収容部材１Ａが開封済みであるか否かを判別できる。
【００５２】
なお、本体部１０及び蓋部２０の各々の強度が、開封記録シート３０の強度よりも高い。これにより、接着部材４０が本体部１０及び蓋部２０の各々から剥がされる際、接着部材４０の接着力により、本体部１０及び蓋部２０の各々が破損することを抑制できる。その結果、本体部１０及び蓋部２０の各々を再利用できるので、環境保護に寄与することができる。
【００５３】
また、収容部材１Ａは、本体部１０の所定位置（蓋部２０により本体部１０の開口部１１が閉じられた状態において、蓋貫通孔２１と対向する位置）に本体貫通孔１３を有し、かつ、蓋部２０の所定位置（蓋部２０により本体部１０の開口部１１が閉じられた状態において、本体貫通孔１３と対向する位置）に蓋貫通孔２１を有していれば、シート対向部分３１の破損個所Ｘを収容部材１Ａの外部に露出させることができる。その結果、収容部材１Ａは、簡素な構成で、収容部材１Ａが開封済みであるか否かをユーザーに判別させることができる。
【００５４】
次に、図４（ｂ）及び図６を参照して、収容部材１Ａの使用例の変形例について説明する。図６は、収容部材１Ａの使用例の変形例を示す図である。
【００５５】
図４（ｂ）に示すように、第１実施形態では、蓋部２０により本体部１０の開口部１１が閉じられた状態において、蓋部２０が本体部１０の外部に配置される。しかし、図６に示すように、蓋部２０により本体部１０の開口部１１が閉じられた状態において、蓋部２０が本体部１０の内部１２に配置されてもよい。
【００５６】
図７（ａ）及び図７（ｂ）を参照して、収容部材１Ａの変形例である収容部材１Ｂについて説明する。図７（ａ）及び図７（ｂ）は、収容部材１Ｂを示す斜視図である。
【００５７】
図７（ａ）及び図７（ｂ）に示すように、収容部材１Ｂにおいては、収容部材１Ａ（図１参照）とは異なり、蓋部２０が本体部１０とは別体の部材である。
【００５８】
蓋部２０は、本体部１０に対して着脱可能である。蓋部２０が本体部１０から外されることで、本体部１０の開口部１１が開かれた状態になる（図７（ａ）参照）。
【００５９】
蓋部２０が本体部１０に装着されることで、蓋部２０により本体部１０の開口部１１が閉じられた状態になる（図７（ｂ）参照）。
【００６０】
収容部材１Ｂにおいては、蓋部２０を折り曲げて、蓋部２０で本体部１０を挟むことで、蓋部２０が本体部１０に装着される。また、収容部材１Ｂにおいては、本体部１０のうちで蓋部２０により挟まれる両側の面に本体貫通孔１３が形成され、蓋部２０のうちで本体部１０を挟む両側の面に蓋貫通孔２１が形成される。
【００６１】
［第２実施形態］
次に、図８（ａ）及び図８（ｂ）を参照して、本考案の第２実施形態に係る収容部材２Ａについて説明する。図８（ａ）及び図８（ｂ）は、本考案の第２実施形態に係る収容部材２Ａの構成を示す斜視図である。
【００６２】
図８（ａ）及び図８（ｂ）に示すように、収容部材２Ａは、本体部１０と、蓋部とを備える。蓋部は、第１蓋部２０ａと、第２蓋部２０ｂと、第３蓋部２０ｃとで構成される。
【００６３】
本体部１０には、本体貫通孔１３ａと、本体貫通孔１３ｂと、本体貫通孔１３ｃと、本体貫通孔１３ｄとが形成される。
【００６４】
本体部１０の開口部は、開口部１１ａと、開口部１１ｂと、開口部１１ｃとで構成される。開口部１１ａは、図８（ａ）における、本体部１０の上部の辺に沿って設けられる。開口部１１ｂは、図８（ａ）における、本体部１０の右部の辺に沿って設けられる。開口部１１ｃは、図８（ａ）における、本体部１０の左部の辺に沿って設けられる。開口部１１ａ〜開口部１１ｃは、開口部１１ａ、開口部１１ｂ、及び開口部１１ｃの順番に連なっている。
【００６５】
第１蓋部２０ａ〜第３蓋部２０ｃの各々は、本体部１０に連なり、本体部１０と一体に形成される。第１蓋部２０ａ〜第３蓋部２０ｃの各々は、本体部１０に対して折り曲げ可能である。第１蓋部２０ａは、本体部１０に対する折り曲げ角度を変更されることで、開口部１１ａを開閉する。第２蓋部２０ｂは、本体部１０に対する折り曲げ角度を変更されることで、開口部１１ｂを開閉する。第３蓋部２０ｃは、本体部１０に対する折り曲げ角度を変更されることで、開口部１１ｃを開閉する。
【００６６】
第１蓋部２０ａには、蓋貫通孔２１ａと、蓋貫通孔２１ｂとが形成される。第２蓋部２０ｂには、蓋貫通孔２１ｃと、蓋貫通孔２１ｄとが形成される。第３蓋部２０ｃには、蓋貫通孔２１ｅと、蓋貫通孔２１ｆとが形成される。
【００６７】
本体部１０の内部１２に開封記録シート３０が収容されると共に、第１蓋部２０ａ〜第３蓋部２０ｃにより開口部１１ａ〜開口部１１ｃが閉じられた状態（以下では、第１収容状態と記載する）において、蓋貫通孔２１ｂと蓋貫通孔２１ｃと本体貫通孔１３ａとが対向すると共に、蓋貫通孔２１ｂと蓋貫通孔２１ｃと本体貫通孔１３ａとを介して開封記録シート３０のシート対向部分３１ａが本体部１０の外部に露出する。また、第１収容状態において、蓋貫通孔２１ｄと本体貫通孔１３ｂとが対向すると共に、蓋貫通孔２１ｄと本体貫通孔１３ｂとを介して開封記録シート３０のシート対向部分３１ｂが本体部１０の外部に露出する。また、第１収容状態において、蓋貫通孔２１ｅと本体貫通孔１３ｃとが対向すると共に、蓋貫通孔２１ｅと本体貫通孔１３ｃとを介して開封記録シート３０のシート対向部分３１ｃが本体部１０の外部に露出する。また、第１収容状態において、蓋貫通孔２１ａと蓋貫通孔２１ｆと本体貫通孔１３ｄとが対向すると共に、蓋貫通孔２１ａと蓋貫通孔２１ｆと本体貫通孔１３ｄとを介して開封記録シート３０のシート対向部分３１ｄが本体部１０の外部に露出する。その結果、本体部１０の内部１２に開封記録シート３０を収容した状態で、開封記録シート３０のシート対向部分３１ａ〜シート対向部分３１ｄに接着部材４０を貼り付けることが可能になる。
【００６８】
なお、本体部１０に対して第１蓋部２０ａ〜第３蓋部２０ｃを折り曲げて、開口部１１ａ〜開口部１１ｃを閉じる際、第１蓋部２０ａ〜第３蓋部２０ｃを重ね合わせる順序は、図８（ｂ）に示すものに限定されない。例えば、第１蓋部２０ａ上に、第２蓋部２０ｂと第３蓋部２０ｃとを重ね合わせてもよい。また、第１蓋部２０ａ、第２蓋部２０ｂ及び第３蓋部２０ｃの順番に、第１蓋部２０ａ〜第３蓋部２０ｃを重ね合わせてもよい。
【００６９】
図９（ａ）及び図９（ｂ）を参照して、収容部材２Ａの変形例である収容部材２Ｂについて説明する。図９（ａ）及び図９（ｂ）は、収容部材２Ｂを示す斜視図である。
【００７０】
図９（ａ）及び図９（ｂ）に示すように、収容部材２Ｂにおいては、収容部材２Ａ（図８（ａ）及び図８（ｂ）参照）とは異なり、第１蓋部２０ａが本体部１０とは別体の部材である。
【００７１】
収容部材２Ｂにおいては、第１蓋部２０ａを折り曲げて、第１蓋部２０ａで本体部１０を挟むことで、第１蓋部２０ａが本体部１０に装着される。また、収容部材２Ｂにおいては、本体部１０に本体貫通孔１３ｅを追加し、第１蓋部２０ａに蓋貫通孔２１ｇを追加し、第１蓋部２０ａが本体部１０に装着された状態で、本体貫通孔１３ｅが蓋貫通孔２１ｇに対向するように構成する。
【００７２】
［第３実施形態］
次に、図１０（ａ）及び図１０（ｂ）を参照して、本考案の第３実施形態に係る収容部材３Ａについて説明する。図１０（ａ）及び図１０（ｂ）は、本考案の第３実施形態に係る収容部材３Ａの構成を示す斜視図である。
【００７３】
図１０（ａ）及び図１０（ｂ）に示すように、収容部材３Ａは、収容部材２Ａ（図８（ａ）及び図８（ｂ）参照）から、第３蓋部２０ｃと、開口部１１ｃとを省いた構造を有する。その他は、収容部材２Ａと同様の構成を有する。
【００７４】
図１１（ａ）及び図１１（ｂ）を参照して、収容部材３Ａの変形例である収容部材３Ｂについて説明する。図１１（ａ）及び図１１（ｂ）は、収容部材３Ｂを示す斜視図である。
【００７５】
図１１（ａ）及び図１１（ｂ）に示すように、収容部材３Ｂにおいては、収容部材３Ａ（図１０（ａ）及び図１０（ｂ）参照）とは異なり、第４蓋部２０ｄが本体部１０とは別体の部材である。第４蓋部２０ｄは、略Ｌ字状に形成される。第４蓋部２０ｄは、収容部材３Ａの第１蓋部２０ａ及び第２蓋部２０ｂの両方の機能を有し、開口部１１ａ及び開口部１１ｂの両方を開閉する。
【００７６】
［第４実施形態］
次に、図１２（ａ）〜図１２（ｅ）を参照して、本考案の第４実施形態に係る収容部材４について説明する。図１２（ａ）は、収容部材４を表側から見た斜視図である。図１２（ｂ）は、収容部材４を裏側から見た斜視図である。図１２（ｃ）は、封止された収容部材４を表側から見た斜視図である。図１２（ｄ）は、封止された収容部材４を裏側から見た斜視図である。図１２（ｅ）は、収容部材４の変形例を裏側から見た斜視図である。
【００７７】
図１２（ａ）〜図１２（ｄ）に示すように、収容部材４は、本体部１０と、蓋部２０とを備える。本体部１０は、略袋状に形成される。本体部１０には、本体貫通孔１３が形成される。蓋部２０は、略筒状に形成され、本体部１０の開口部１１に連なる。蓋部２０の端部には、蓋開口部２３が形成される。蓋開口部２３は、蓋部２０の内部を通じて、本体部１０の開口部１１と連通している。
【００７８】
蓋部２０には、複数の蓋貫通孔２１が形成される。複数の蓋貫通孔２１は、蓋部２０の表側と裏側の両側に、互いに対向するように形成される（図１２（ａ）及び図１２（ｂ）参照）。
【００７９】
蓋部２０は、本体部１０と連なる箇所５０において、本体部１０に対して折り曲げ可能である。
【００８０】
図１２（ｃ）及び図１２（ｄ）に示すように、本体部１０に対して蓋部２０が重なるように、蓋部２０が折り曲げられることで、蓋部２０により本体部１０の開口部１１が閉じられる。蓋部２０により本体部１０の開口部１１が閉じられた状態において、蓋部２０の表側の蓋貫通孔２１と、蓋部２０の裏側の蓋貫通孔２１と、本体貫通孔１３とが互いに重なる。その結果、２つの蓋貫通孔２１と、本体貫通孔１３とを介して、本体部１０の内部１２に収容される開封記録シート３０のシート対向部分３１を、本体部１０の外部に露出させることができる。
【００８１】
そして、接着部材４０が、本体部１０と、蓋部２０と、開封記録シート３０のシート対向部分３１とに亘って接着されることで、収容部材４が封止される。
【００８２】
図１２（ｅ）に示すように、収容部材４において、本体部１０の裏側に本体貫通孔１３を追加してもよい。本体部１０の裏側に追加された本体貫通孔１３（図１２（ｅ）参照）は、本体部１０の表側に形成されている本体貫通孔１３（図１２（ａ）参照）と対向する場所に配置される。その結果、収容部材４を容易に製造できる。
【００８３】
［第５実施形態］
次に、図１３（ａ）及び図１３（ｂ）を参照して、本考案の第５実施形態に係る収容部材５Ａについて説明する。図１３（ａ）及び図１３（ｂ）は、本考案の第５実施形態に係る収容部材５Ａの構成を示す斜視図である。収容部材５Ａは、例えば、食材のようなある程度の容積を有する物品を収容する箱（例えば、ダンボール箱）として機能する。
【００８４】
図１３（ａ）及び図１３（ｂ）に示すように、収容部材５Ａは、本体部１０と、蓋部とを備える。
【００８５】
本体部１０は、開口部１１を有する箱状に形成される。
【００８６】
蓋部は、天井部２０ｅと、複数の側部２０ｆ（第５実施形態では、３つの側部２０ｆ）とで構成される。天井部２０ｅ及び側部２０ｆの各々は、略板状に形成される。
【００８７】
天井部２０ｅは、略矩形状に形成される。天井部２０ｅは、本体部１０と一体の部材であり、本体部１０と連なる箇所５０（開口部１１の形成箇所）において、本体部１０に対して折り曲げ可能である。側部２０ｆは、天井部２０ｅと一体の部材であり、天井部２０ｅに対して折り曲げ可能である。天井部２０ｅの４辺のうちの１辺には、本体部１０が連なり、残りの辺（第５実施形態では、３辺）には、側部２０ｆがそれぞれ連なる。
【００８８】
側部２０ｆには、側部２０ｆを貫通する蓋貫通孔２１が形成される。
【００８９】
天井部２０ｅが本体部１０の開口部１１と当接するように、天井部２０ｅが本体部１０に対して折り曲げられると共に、側部２０ｆが本体部１０と重なるように折り曲げられることで、蓋部２０により本体部１０の開口部１１が閉じられる。
【００９０】
蓋部（天井部２０ｅ及び側部２０ｆ）により本体部１０の開口部１１が閉じられた状態において、蓋貫通孔２１が本体貫通孔１３と対向する。その結果、蓋部により本体部１０の開口部１１が閉じられた状態において、本体部１０の内部１２が、蓋貫通孔２１及び本体貫通孔１３を通じて、本体部１０の外部と連通した状態になる。
【００９１】
また、蓋部により本体部１０の開口部１１が閉じられた状態のとき、本体部１０の内部１２に収容される開封記録シート３０のシート対向部分３１が、蓋貫通孔２１及び本体貫通孔１３を介して本体部１０の外部に露出している。
【００９２】
そして、接着部材４０が、本体部１０と、蓋部（側部２０ｆ）と、開封記録シート３０のシート対向部分３１とに亘って接着されることで、収容部材５Ａが封止される。
【００９３】
なお、第５実施形態では、蓋部（天井部２０ｅ及び側部２０ｆ）により本体部１０の開口部１１が閉じられる際、側部２０ｆが、本体部１０の外部に配置され、本体部１０の外側から本体部１０に重ね合わせられる。しかし、本考案はこれに限定されない。蓋部により本体部１０の開口部１１が閉じられる際、側部２０ｆが、本体部１０の内部１２に配置され、本体部１０の内側から本体部１０に重ね合わせられてもよい。
【００９４】
図１４（ａ）及び図１４（ｂ）を参照して、収容部材５Ａの変形例である収容部材５Ｂについて説明する。図１４（ａ）及び図１４（ｂ）は、収容部材５Ｂを示す斜視図である。
【００９５】
図１４（ａ）及び図１４（ｂ）に示すように、収容部材５Ｂにおいては、収容部材５Ａ（図１３（ａ）及び図１３（ｂ）参照）とは異なり、蓋部（天井部２０ｅ及び側部２０ｆ）が本体部１０とは別体の部材である。収容部材４Ｂにおいては、天井部２０ｅの全ての辺（第４実施形態では、４辺）に対して、側部２０ｆが折り曲げ可能に連なっている。
【００９６】
［第６実施形態］
図１５（ａ）及び図１５（ｂ）を参照して、本考案の第６実施形態に係る収容部材６について説明する。図１５（ａ）及び図１５（ｂ）は、本考案の第６実施形態に係る収容部材６の構成を示す斜視図である。
【００９７】
図１５（ａ）及び図１５（ｂ）に示すように、収容部材６は、本体部１０と、複数の蓋部とを備える。
【００９８】
本体部１０は、開口部１１を有する箱状に形成される。
【００９９】
複数の蓋部は、第１蓋部２０Ａと、第２蓋部２０Ｂと、第３蓋部２０Ｃと、第４蓋部２０Ｄとで構成される。第１蓋部２０Ａ〜第４蓋部２０Ｄの各々は、略板状に形成される。第１蓋部２０Ａ〜第４蓋部２０Ｄの各々は、本体部１０と一体である。第１蓋部２０Ａ〜第４蓋部２０Ｄの各々は、本体部１０と連なる箇所５０において、本体部１０に対して折り曲げ可能である。第１蓋部２０Ａには、第１蓋部２０Ａを貫通する第１蓋貫通孔２１Ａが形成される。第２蓋部２０Ｂには、第２蓋部２０Ｂを貫通する第２蓋貫通孔２１Ｂが形成される。第３蓋部２０Ｃには、第３蓋部２０Ｃを貫通する第３蓋貫通孔２１Ｃが形成される。第４蓋部２０Ｄには、第４蓋部２０Ｄを貫通する第４蓋貫通孔２１Ｄが形成される。
【０１００】
複数の蓋部のうち、隣り合う蓋部の一部が互いに重なるように折り曲げられることによって、本体部１０の開口部１１が閉じられる。
【０１０１】
本体部１０の開口部１１が閉じられた状態において、第１蓋部２０Ａの一部が第２蓋部２０Ｂの一部に重なると共に、第１蓋部２０Ａの第１蓋貫通孔２１Ａが第２蓋部２０Ｂの第２蓋貫通孔２１Ｂと対向する。本体部１０の開口部１１が閉じられた状態において、第２蓋部２０Ｂの一部が第３蓋部２０Ｃの一部に重なると共に、第２蓋部２０Ｂの第２蓋貫通孔２１Ｂが第３蓋部２０Ｃの第３蓋貫通孔２１Ｃと対向する。本体部１０の開口部１１が閉じられた状態において、第３蓋部２０Ｃの一部が第４蓋部２０Ｄの一部に重なると共に、第３蓋部２０Ｃの第３蓋貫通孔２１Ｃが第４蓋部２０Ｄの第４蓋貫通孔２１Ｄと対向する。本体部１０の開口部１１が閉じられた状態において、第４蓋部２０Ｄの一部が第１蓋部２０Ａの一部に重なると共に、第４蓋部２０Ｄの第４蓋貫通孔２１Ｄが第１蓋部２０Ａの第１蓋貫通孔２１Ａと対向する。その結果、互いに重なる蓋貫通孔（第１蓋貫通孔２１Ａ〜第４蓋貫通孔２１Ｄのうちのいずれか２つの貫通孔）を介して、本体部１０の内部１２に収容される開封記録シート３０のシート対向部分３１を、本体部１０の外部に露出させることができる。
【０１０２】
そして、接着部材４０が、本体部１０と、第１蓋部２０Ａ〜第４蓋部２０Ｄと、開封記録シート３０のシート対向部分３１とに亘って接着されることで、収容部材６が封止される。
【０１０３】
以上、図面（図１〜図１５（ｂ））を参照しながら本考案の実施形態について説明した。但し、本考案は、上記の実施形態に限られるものではなく、その要旨を逸脱しない範囲で種々の態様において実施することが可能である（例えば、（１）〜（８））。また、上記の実施形態に開示されている複数の構成要素を適宜組み合わせることによって、種々の考案の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本考案の効果から実質的に逸脱しない範囲で種々の変更が可能である。
【０１０４】
（１）第１実施形態〜第５実施形態において、開封記録シート３０のシート対向部分３１（図５（ｂ）参照）にスリットが形成されてもよい。その結果、接着部材４０が開封記録シート３０のシート対向部分３１から剥がされる際、シート対向部分３１に効果的に破損個所Ｘを生成することができる。
【０１０５】
（２）第１実施形態〜第５実施形態において、開封記録シート３０のシート対向部分３１に、所定の記号が表示されてもよい。所定の記号は、例えば、印鑑の印影、サイン等の文字、図等を示す。これにより、収容部材（収容部材１Ａ、収容部材１Ｂ、収容部材２Ａ、収容部材２Ｂ、収容部材３Ａ、収容部材３Ｂ、収容部材４、収容部材５Ａ、収容部材５Ｂ、及び、収容部材６）から、無断で、接着部材４０が剥がされた場合に、接着部材４０の接着力により、所定の記号が破損するので、開封記録シート３０の再作成、及び差し替えを困難とすることができる。
【０１０６】
（３）第１実施形態〜第５実施形態において、複数のシート対向部分３１のうちのいずれかのシート対向部分３１に切手が貼られるように構成してもよい。
【０１０７】
（４）第１実施形態〜第５実施形態において、開封記録シート３０に対して、所定の事項が記載される記載欄を設け、開封記録シート３０が本体部１０の内部１２に収容された状態で、本体部１０のうち開封記録シート３０の記載欄と対向する部分が透過性を有するように構成してもよい。その結果、収容部材が封止された状態で、開封記録シート３０の記載欄に記載された事項を、視認することができる。開封記録シート３０の記載欄には、例えば、収容部材の送付先を示す宛先を示す情報、収容部材の差出人を示す情報、及び収容部材に収容されている物体を示す情報のような、収容部材及び収容部材に収容されている物体に関する情報が記載される。
【０１０８】
（５）第１実施形態〜第５実施形態において、開封記録シート３０は、本体部１０の本体貫通孔１３、及び蓋部２０の蓋貫通孔２１等から、収容部材に収容される信書等の物体（搬送物）が露出することを防止する、隠す目隠しシートとして機能してもよい。
【０１０９】
（６）第１実施形態〜第５実施形態において、開封記録シート３０と、接着部材４０との各々は、収容部材用に製造された専用品でもよく、又は、用途を収容部材に限定せずに製造された汎用品でもよい。
【０１１０】
（７）第１実施形態〜第５実施形態において、本体部１０が樹脂により形成される。しかし、本考案はこれに限定されない。第１実施形態〜第５実施形態において、本体部１０が紙により形成されてもよい。また、本体部１０が紙とラミネートとにより形成されてもよい。また、本体部１０は、透明でもよく、又は、不透明でもよい。第１実施形態〜第５実施形態において、蓋部（蓋部２０、及び蓋部２０ａ〜２０ｄ）が樹脂により形成される。しかし、本考案はこれに限定されない。第１実施形態〜第５実施形態において、蓋部が紙により形成されてもよい。また、蓋部が紙とラミネートとにより形成されてもよい。また、蓋部は、透明でもよく、又は、不透明でもよい。
【０１１１】
（８）第１実施形態〜第５実施形態において、本体部１０には、複数の本体貫通孔（本体貫通孔１３、又は本体貫通孔１３ａ〜１３ｅ）が設けられる。蓋部２０には、複数の蓋貫通孔（蓋貫通孔２１、又は蓋貫通孔２１ａ〜２１ｇ）が設けられる。複数の蓋貫通孔は、それぞれ、前記複数の本体貫通孔と対応する。蓋部２０により本体部１０の開口部（開口部１１、又は開口部１１ａ〜１１ｃ）が閉じられた状態で、複数の蓋貫通孔の各々は、対応する前記蓋貫通孔と対向する。開封記録シート３０は、複数のシート対向部分（シート対向部分３１、又はシート対向部分３１ａ〜３１ｄ）を含む。開封記録シート３０が本体部１０の内部に収容された状態で、複数の本体貫通孔の各々は、対応する本体貫通孔と対向する。本体部１０の内部に開封記録シート３０が収容されると共に、蓋部２０により本体部１０の開口部が閉じられた状態で、接着部材４０が、本体部１０と、蓋部２０と、複数のシート対向部分とに亘って接着される。その結果、１つの接着部材４０に複数のシート対向部分が接着されることで、収容部材（収容部材１Ａ〜収容部材５Ｂ）を、より効果的に封止できる。
【産業上の利用可能性】
【０１１２】
本考案は、収容部材の分野に利用可能である。
【符号の説明】
【０１１３】
１Ａ、１Ｂ、２Ａ、２Ｂ、３Ａ、３Ｂ、４、５Ａ、５Ｂ、６  収容部材
１０    本体部
１１、１１ａ〜１１ｃ    開口部
１２    内部
１３、１３ａ〜１３ｅ    本体貫通孔
２０    蓋部
２０Ａ  第１蓋部
２０Ｂ  第２蓋部
２１Ａ  第１蓋貫通孔
２１Ｂ  第２蓋貫通孔
２１、２１ａ〜２１ｇ    蓋貫通孔
３０    開封記録シート
３１、３１ａ〜３１ｄ  シート対向部分
【図１】
0003224834.tif 000003
【図２】
0003224834.tif 000004
【図３】
0003224834.tif 000005
【図４】
0003224834.tif 000006
【図５】
0003224834.tif 000007
【図６】
0003224834.tif 000008
【図７】
0003224834.tif 000009
【図８】
0003224834.tif 000010
【図９】
0003224834.tif 000011
【図１０】
0003224834.tif 000012
【図１１】
0003224834.tif 000013
【図１２】
0003224834.tif 000014
【図１３】
0003224834.tif 000015
【図１４】
0003224834.tif 000016
【図１５】
0003224834.tif 000017